(57)【要約】【課題】既存の構成をなるべく変更することなく、待機電力の低減を円滑に実現することができる投写型表示装置、および電子機器を提供する。【解決手段】プロジェクタは、ランプ２１からの光を変調する液晶パネル２３、２４、２５と、ランプ２１、液晶パネル２３、２４、２５を制御する主制御部１０１と、主制御部１０１へ電力供給を行う主電源ユニット２００と、待機状態において、キー操作を監視する待機制御部１０２と、主電源ユニット２００と別体に構成された待機電源ユニット４００とを備える。待機電源ユニット４００は、待機制御部１０２へ電力供給を行う待機電源部４５０と、主電源ユニット２００に対する電源ラインＬ１を接続または遮断するリレー４４０とを有する。待機制御部１０２からＯＮ信号によりリレー４４０がＯＮすると電源ラインＬ１が接続され、ＯＮ信号の停止によりリレー４４０がＯＦＦすると電源ラインＬ１が遮断される。【選択図】図４
2011085763.tif 000002
【特許請求の範囲】
【請求項１】
投写型表示装置において、
光源と、
光源からの光を変調する光変調部と、
前記光源および光変調部を駆動制御して運転を行う主制御部と、
待機状態における制御を行う待機制御部と、
前記主制御部へ電力供給を行う主電源ユニットと、
前記待機状態において、前記主電源ユニットに対する商用電源の供給を遮断するとともに前記待機制御部への電力供給を行う待機電源ユニットとを備え、
前記待機電源ユニットは、前記主電源ユニットとは別の基板に配されている、
ことを特徴とする投写型表示装置。
【請求項２】
請求項１に記載の投写型表示装置において、
前記待機電源ユニットは、
前記待機制御部へ電力供給を行う電源部と、
商用電源から前記主電源ユニットへ電力供給を行うための電源ラインを、前記待機制御部からの信号に基づいて接続または遮断するスイッチ部と、を有する、
ことを特徴とする投写型表示装置。
【請求項３】
請求項２に記載の投写型表示装置において、
前記スイッチ部よりも上流側の前記電源ラインから前記電源部への電力供給が行われ、前記電源ラインと前記電源部の間にヒューズが配されている、
ことを特徴とする投写型表示装置。
【請求項４】
請求項２または３に記載の投写型表示装置において、
前記商用電源と前記待機電源ユニットとの間にノイズフィルタを配した、
ことを特徴とする投写型表示装置。
【請求項５】
請求項４に記載の投写型表示装置において、
前記ノイズフィルタと前記待機電源ユニットとの間に、前記光源に異常過熱が生じたときに前記電源ラインを遮断する遮断装置を配した、
ことを特徴とする投写型表示装置。
【請求項６】
電子機器において、
通常運転時の制御を行う主制御部と、
待機状態における制御を行う待機制御部と、
前記主制御部へ電力供給を行う主電源ユニットと、
前記待機状態において、前記主電源ユニットに対する商用電源の供給を遮断するとともに前記待機制御部への電力供給を行う待機電源ユニットとを備え、
前記待機電源ユニットは、前記主電源ユニットとは別の基板に配されている、
ことを特徴とする電子機器。
【発明の詳細な説明】
【技術分野】
【０００１】
本発明は、光源からの光を変調して被投写面に投写する投写型表示装置、および、投写型表示装置等の電子機器に関する。
【背景技術】
【０００２】
一般に、投写型表示装置（以下、「プロジェクタ」という）は、商用電源に接続されると、電源部から制御部へ電力供給がなされて待機状態となる。待機状態において、たとえばメインスイッチ（電源スイッチ）がＯＮされると、制御部によりランプや液晶パネル等が起動されて運転が開始される。その後、運転状態において、メインスイッチがＯＦＦされると、制御部により所定のシャットダウン処理が行われた後に、再び待機状態となる。
【０００３】
待機状態における消費電力を低減するため、従来、主電源部への商用電源の供給、遮断を行うためのスイッチ部と、スイッチ部を動作するための待機制御部と、待機制御部への電力供給を行う待機電源部とを備え、待機状態になると、主電源部への電力供給を遮断する電子機器が提案されている（たとえば、特許文献１参照）。
【先行技術文献】
【特許文献】
【０００４】
【特許文献１】特開２００１−１３６６５７号公報
【発明の概要】
【発明が解決しようとする課題】
【０００５】
上記の構成を実現するためには、スイッチ部や待機電源部に係る回路部を、新たに追加して配する必要がある。この場合、これらの回路部は、筺体の寸法や内部部品の配置等、既存の構成をなるべく変更することなく、効率的に、配置できるのが望ましい。
【０００６】
本発明は、かかる課題に鑑みてなされたものであり、既存の構成を極力変更することなく、待機電力の低減を円滑に実現することができる投写型表示装置、および電子機器を提供することを目的とする。
【課題を解決するための手段】
【０００７】
本発明の第１の態様に係る投写型表示装置は、光源と、光源からの光を変調する光変調部と、前記光源および光変調部を駆動制御して運転を行う主制御部と、待機状態における制御を行う待機制御部と、前記主制御部へ電力供給を行う主電源ユニットと、前記待機状態において、前記主電源ユニットに対する商用電源の供給を遮断するとともに前記待機制御部への電力供給を行う待機電源ユニットとを備える。ここで、前記待機電源ユニットは、前記主電源ユニットとは別の基板に配されている。
【０００８】
本発明の構成によれば、待機電源ユニットを筺体内の空きスペースに配することができるので、設計変更を極力抑えながら、待機電力の低減を円滑に実現することができる。
【０００９】
本発明の投写型表示装置において、前記待機電源ユニットは、前記待機制御部へ電力供給を行う電源部と、商用電源から前記主電源ユニットへ電力供給を行うための電源ラインを、前記待機制御部からの信号に基づいて接続または遮断するスイッチ部とを有するような構成とされ得る。
【００１０】
この場合、前記スイッチ部よりも上流側の前記電源ラインから前記電源部への電力供給が行われ、前記電源ラインと前記電源部の間にヒューズが配されるような構成とされ得る。
【００１１】
このような構成とすれば、電源部への電源ラインを導電パターンにより構成した場合に、導電パターンを細くでき、待機電源ユニットの小型化を図ることができる。また、前記電源ラインから分配された電力が前記電源部に供給されるため、前記電源ラインと電源部のそれぞれに電力を供給するために２つの電源ケーブルを用意する必要がなく、ケーブルの本数を削減できる。
【００１２】
本発明の投写型表示装置は、前記商用電源と前記待機電源ユニットとの間にノイズフィルタを配するような構成とされ得る。
【００１３】
このような構成とすれば、１つのノイズフィルタで、主電源ユニットおよび電源部の双方のノイズの低減を図ることができる。
【００１４】
本発明の投写型表示装置は、前記ノイズフィルタと前記待機電源ユニットとの間に、前記光源に異常過熱が生じたときに前記電源ラインを遮断する遮断装置を配するような構成とされ得る。
【００１５】
このような構成とすれば、光源が異常過熱したときに主電源ユニットおよび待機電源ユニットの双方への電力を遮断することができる。
【００１６】
本発明の第２の態様に係る電子機器は、通常運転時の制御を行う主制御部と、待機状態における制御を行う待機制御部と、前記主制御部へ電力供給を行う主電源ユニットと、前記待機状態において、前記主電源ユニットに対する商用電源の供給を遮断するとともに前記待機制御部への電力供給を行う待機電源ユニットとを備える。ここで、前記待機電源ユニットは、前記主電源ユニットとは別の基板に配されている。
【００１７】
本発明の構成によれば、第１の態様と同様、設計変更を極力抑えつつ、待機電力の低減を円滑に実現することができる。
【発明の効果】
【００１８】
以上のとおり、本発明によれば、既存の構成を極力変更することなく、待機電力の低減を円滑に実現することができる投写型表示装置、および電子機器を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係るプロジェクタの構成を示す外観斜視図である。
【図２】実施の形態に係る光学エンジンの構成を示す図である。
【図３】実施の形態に係るプロジェクタ構成を示すブロック図である。
【図４】実施の形態に係る待機電源ユニットの構成を示す図である。
【図５】実施の形態に係る待機電源ユニットに配された電源ヒューズの効果について説明するための図である。
【図６】実施の形態に係る主電源ユニット、待機電源ユニットおよびノイズフィルタユニットの接続構造と、従来の主電源ユニットとノイズフィルタユニットとの接続構造を説明するための図である。
【図７】実施の形態に係る待機制御部および主制御部の処理フローを示す図である。
【図８】変更例１に係るプロジェクタの構成を示す図である。
【図９】変更例１における主電源部、待機電源ユニットおよびノイズフィルタ部の接続構造と、従来の主電源ユニットにおける主電源部とノイズフィルタ部との接続構造について説明するための図である。
【発明を実施するための形態】
【００２１】
以下、図面を参照して、実施の形態に係るプロジェクタについて説明する。
【００２２】
図１は、プロジェクタの構成を示す外観斜視図である。同図を参照して、プロジェクタは、横長の略直方体形状を有するキャビネット１０を備えている。キャビネット１０には、前面左側に投写窓１１が形成されており、前面右側および右側面にキャビネット１０内部から排気を行うための排気口１２、１３がそれぞれ形成されている。また、キャビネット１０の上面には、メインスイッチ等、複数の操作ボタンが配された操作部１４が設けられている。
【００２３】
キャビネット１０の内部には、光学エンジン２０および投写レンズ３０が配されている。光学エンジン２０は、映像信号により変調された映像光を生成する。光学エンジン２０には、投写レンズ３０が装着されており、投写レンズ３０の前端部が、投写窓１１から前方に露出している。投写レンズ３０は、光学エンジン２０で生成された映像光を、プロジェクタの前方に配されたスクリーンに拡大投写する。
【００２４】
図２は、光学エンジン２０の構成を示す図である。
【００２５】
同図の如く、光学エンジン２０は、ランプ２１と、導光光学系２２と、３つの透過型の液晶パネル２３、２４、２５と、ダイクロイックプリズム２６とを備えている。なお、液晶パネル２３、２４、２５の入射側と出射側には図示しない偏光板が配されている。
【００２６】
ランプ２１は、たとえば、メタルハライドランプやキセノンランプである。ランプ２１から出射された白色光は、導光光学系２２によって赤色波長帯の光（以下、「Ｒ光」という）と、緑色波長帯の光（以下、「Ｇ光」という）と、青色波長帯の光（以下、「Ｂ光」という）に分離され、液晶パネル２３、２４、２５に照射される。これら液晶パネル２３、２４、２５によって変調されたＲ光、Ｇ光、Ｂ光は、ダイクロイックプリズム２６によって色合成され、映像光として出射される。
【００２７】
なお、光学エンジン２０を構成する光変調素子としては、上記透過型の液晶パネル２３、２４、２５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００２８】
図３は、プロジェクタの構成を示すブロック図である。
【００２９】
プロジェクタの内部には、冷却ファン４０が配されている。冷却ファン４０は、たとえば、ランプ２１を冷却するための冷却ファン、電源部（主電源ユニット、待機電源ユニット、ランプ用電源ユニット）を冷却するための電源冷却ファン、液晶パネル２３、２４、２５を冷却するための冷却ファンである。
【００３０】
プロジェクタは、ランプ２１や液晶パネル２３、２４、２５等を駆動制御するため、制御ユニット１００と、主電源ユニット２００と、ランプ用電源ユニット３００と、待機電源ユニット４００と、ノイズフィルタユニット５００と、サーモスタット６００とを備えている。
【００３１】
制御ユニット１００は、主制御部１０１と、待機制御部１０２と、パネル駆動部１０３と、ファン駆動部１０４とで構成されている。
【００３２】
主制御部１０１は、マイコン等で構成されており、操作部１４やリモコン（図示せず）から入力された操作信号に基づいて、パネル駆動部１０３やファン駆動部１０４へ制御信号を出力する。
【００３３】
待機制御部１０２は、主制御部１０１よりも低機能（メモリ容量が少ない、処理速度が遅い、入力端子数が少ない等）のマイコン等で構成されている。よって、その消費電力が主制御部１０１に比べて小さくなっている。
【００３４】
待機制御部１０２には、プロジェクタの待機状態において、操作部１４やリモコン（図示せず）から操作信号が入力される。また、待機制御部１０２には、主制御部１０１から制御信号が入力される。待機制御部１０２は、操作部１４等からの操作信号や主制御部１０１からの制御信号に基づいて、主電源ユニット２００への電力（交流電圧）を供給、遮断するための制御信号を待機電源ユニット４００へ出力する。
【００３５】
パネル駆動部１０３には、図示しない映像信号処理部から映像信号が入力される。パネル駆動部１０３は、入力された映像信号および制御部１０１からの制御信号に従って液晶パネル２３、２４、２５を駆動する。ファン駆動部１０４は、制御部１０１からの制御信号に従って冷却ファン４０を駆動する。
【００３６】
主電源ユニット２００は、商用電源からの交流電圧を、制御ユニット１００の各部（待機制御部１０２を除く）およびランプ用電源ユニット３００に適する所定の直流電圧に変換し、制御ユニット１００およびランプ電源ユニット３００へ供給する。
【００３７】
ランプ用電源ユニット３００は、ランプバラスト等で構成され、主電源ユニット２００から入力された直流電圧をランプ２１の駆動に適する交流電圧に変換してランプ２１へ供給する。
【００３８】
待機電源ユニット４００は、商用電源からの交流電圧を、待機制御部１０２に適する直流電圧に変換して待機制御部１０２へ出力する。また、待機制御部１０２からの制御信号に従って、主電源ユニットへ２００への電力の供給、遮断を行う。待機電源ユニット４００は、他の回路部とは異なる回路基板上に配されている。なお、待機電源ユニット４００の詳細な構成については、追って説明する。
【００３９】
ノイズフィルタユニット５００は、ノイズフィルタ５１０と電流ヒューズ５２０とを備えている。ノイズフィルタ５１０は、商用電源から主電源ユニット２００および待機電源ユニット４００に侵入するノイズを低減する。また、主電源ユニット２００および待機電源ユニット４００のスイッチング動作によって発生し、商用電源側に流出する高周波ノイズを低減する。
【００４０】
電流ヒューズ５２０は、主電源ユニット２００にショート等が生じたときに、主電源ユニット２００に過電流が流れるのを防止する。電流ヒューズ５２０の定格電流は、主電源ユニット２００の定格電流に応じて設定される。
【００４１】
サーモスタット６００は、ランプ２１の近傍に配され、ランプ２１の温度を監視する。ランプ２１が異常加熱すると、サーモスタット６００の接点が開放して、ノイズフィルタユニット５００と待機電源ユニット４００との間の電源ラインが遮断される。これにより、待機電源ユニット４００と主電源ユニット２００への電力供給が停止される。なお、図３では、便宜上、ランプ２１とサーモスタット６００とが離れた配置になっている。
【００４２】
図４は、待機電源ユニット４００の構成を示す図である。
【００４３】
待機電源ユニット４００は、基板４１０と、基板４１０に配された、第１コネクタ４２０、第２コネクタ４３０、リレー４４０、待機電源部４５０、電流ヒューズ４６０、トランジスタ４７０、第３コネクタ４８０とを備えている。
【００４４】
第１コネクタ４２０は、一対の電源入力端子４２１、４２２を備えている。第２コネクタ４３０は、一対の電源出力端子４３１、４３２を備えている。電源入力端子４２１と電源出力端子４３１との間を繋ぐように、商用電源のＬＩＶＥ側の電源ラインＬ１が基板４１０上に導電パターンによって形成されている。また、電源入力端子４２２と電源出力端子４３２との間を繋ぐように、商用電源のＮＥＵＴＲＡＬ側の電源ラインＬ２が基板４１０上に導電パターンによって形成されている（図５参照）。電源ラインＬ１には、リレー４４０が配されている。
【００４５】
電源ラインＬ１、Ｌ２には、リレー４４０の配置位置よりも上流側（商用電源側）にそれぞれ分岐点Ｐ１、Ｐ２があり、ここから分岐された電源ラインＬ３、Ｌ４が待機電源部４５０に接続されている。電源ラインＬ３、Ｌ４も基板４１０上に導電パターンによって形成されている。
【００４６】
電源ラインＬ１、Ｌ２から待機電源部４５０に入力された交流電圧は、ダイオードブリッジ等かなる整流回路４５１で全波整流された後に平滑コンデンサ４５２によって平滑され、ほぼ直流電圧となってスイッチングＩＣ４５３へ入力される。
【００４７】
スイッチングＩＣ４５３は、電圧帰還回路４５４から入力される電圧が一定となるようにスイッチング動作を行う。スイッチングＩＣ４５３によって生成された交流電圧は、絶縁トランス４５５を介して整流ダイオード４５５と平滑コンデンサ４５６に入力され、ここで再び直流電圧に変換される。
【００４８】
こうして、待機電源部４５０からは、所定の直流電圧が出力される。この直流電圧は、待機制御部１０２およびリレー４４０を駆動するものであるため、比較的低い電圧（低電圧）となっている。
【００４９】
電源ラインＬ３には、電流ヒューズ４６０が配されている。電流ヒューズ４６０の定格電流は、待機電源部４５０の定格電流に応じて設定される。
【００５０】
待機電源部４５０は、リレー４４０と待機制御部１０２のみの電源であるため、その定格電流は、主電源ユニット２００の定格電流よりもかなり小さくされている。このため、電流ヒューズ４６０の定格電流は、ノイズフィルタユニット５００の電流ヒューズ５２０の定格電流に比べて小さな値（たとえば、１０分の１程度）とされている。
【００５１】
待機電源部４５０でショート等が生じることによって、電源ラインＬ３に過電流が流れると、電流ヒューズ４６０が切断される。これにより、待機電源部４５０へ過電流が流れるのが防止される。このように、電流ヒューズ４６０が配されているため、電流ヒューズ４６０の下流側には、上流側に比べて大きな電流が流れない。よって、図５に示すように、電流ヒューズ４６０の下流側では、導電パターンの幅Ｗ２を電源ラインＬ１の導電パターンの幅Ｗ１に比べてかなり細くすることができる。たとえば、電流ヒューズ４６０の定格電流が電流ヒューズ５２０の定格電流の１０分の１程度であれば、電源ラインＬ３の幅Ｗ２を電源ラインＬ１の幅Ｗ１の１０分の１程度とすることができる。したがって、待機電源ユニット４００を小型化することができる。
【００５２】
図４に戻り、待機電源部４５０から出力された直流電圧は、電源ラインＬ５によってリレー４４０へ供給される。電源ラインＬ５には、トランジスタ４７０が配されている。トランジスタ４７０には、第３コネクタ４８０の信号入力端子４８３に接続された制御信号ラインＬ６を通じて、待機制御部１０２からＯＮ信号が入力される。
【００５３】
待機制御部１０２からＯＮ信号が入力されると、トランジスタ４７０がＯＮして、リレー４４０のコイルに電流が流れる。これにより、リレー４４０の接点部が閉じて電源ラインＬ１が接続状態となり、主電源ユニット２００へ電力が供給される。
【００５４】
一方、待機制御部１０２からのＯＮ信号が停止すると、トランジスタ４７０がＯＦＦして、リレー４４０のコイルに電流が流れなくなる。これにより、リレー４４０の接点部が開いて電源ラインＬ１が遮断状態となり、主電源ユニット２００への電力供給が停止される。
【００５５】
待機電源部４５０と第３コネクタ４８０の一対の電源出力端子４８１、４８２との間には、電源ラインＬ７、Ｌ８が接続されている。待機制御部１０２には、第３コネクタ４８０を介しては待機電源部４５０から直流電圧が供給される。
【００５６】
電圧帰還回路４５４には、待機電源部４５０からの直流電圧が、帰還信号ラインＬ９を介して入力される。
【００５７】
なお、電源ラインＬ５、Ｌ７、Ｌ８、制御信号ラインＬ６および帰還信号ラインＬ９も、基板４１０上に導電パターンによって形成されている。
【００５８】
図６（ａ）は、本実施の形態における主電源ユニット２００、待機電源ユニット４００およびノイズフィルタユニット５００の接続構造を示す図である。図６（ｂ）は、従来の主電源ユニット２００とノイズフィルタユニット５００との接続構造を示す図である。
【００５９】
図６（ａ）に示すように、ノイズフィルタユニット５００には、電源出力端子を有するコネクタ５３０が配されており、このコネクタ５３０と待機電源ユニット４００の第１コネクタ４２０とが電源ケーブル７００により接続されている。電源ケーブル７００の２本のケーブルのうち、ＬＩＶＥ側のケーブルに上記サーモスタット６００が配されている。こうして、ノイズフィルタユニット５００から、電源ケーブル７００を通じて、待機電源ユニット４００へ電力（交流電圧）が供給される。
【００６０】
一方、主電源ユニット２００には、電源入力端子を有するコネクタ２１０が配されており、このコネクタ２１０と待機電源ユニット４００の第２コネクタ４３０とが電源ケーブル８００により接続されている。こうして、待機電源ユニット４００から、電源ケーブル８００を通じて、主電源ユニット２００へ電力（交流電圧）が供給される。
【００６１】
図６（ｂ）に示すように、従来はノイズフィルタユニット５００のコネクタ５３０と主電源ユニット２００のコネクタ２１０とが電源ケーブル７００によって接続され、ノイズフィルタユニット５００から直接、主電源ユニット２００へ電力（交流電圧）が供給されていた。
【００６２】
本実施の形態では、電源ケーブル７００の接続先が待機電源ユニット４００に変更され、新たに用意された電源ケーブル８００により待機電源ユニット４００と主電源ユニットとが接続されている。このため、主電源ユニット２００、ノイズフィルタユニット５００および電源ケーブル７００については、従来のものをそのまま使用することができる。
【００６３】
また、待機電源ユニット４００の平面サイズ（回路基板のサイズ）は、主電源ユニット２００の平面サイズ（回路基板のサイズ）の５分の１程度になり得る。このため、待機電源ユニット４００を主電源ユニット２００と一体的に形成した場合、即ち、主電源ユニット２００の回路部と、待機電源ユニット４００の回路部とを１つの基板上に配するような構成とした場合、その電源ユニットは、従来の主電源ユニット２００に比べてかなり大きくなってしまう。
【００６４】
キャビネット１０の内部では、各構成部品が最適に配置されている。よって、主電源ユニット２００の平面サイズを大きくすると、他の部品と干渉してしまう可能性が高い。このため、電源ユニットを新規に設計するだけでなく、キャビネット１０のサイズやキャビネット１０内部の部品配置を再設計する必要が生じてしまう。
【００６５】
本実施の形態では、待機電源ユニット４００を、主電源ユニット２００とは別の基板に配置し、電源ケーブル８００によって主電源ユニット２００と接続する構成としたので、キャビネット１０内の空きスペースに待機電源ユニット４００を配することができる。したがって、主電源ユニット２００やキャビネット１０のサイズ、キャビネット１０内部の部品配置を再設計する必要がない。
【００６６】
なお、制御ユニット１００には、従来の構成に対して待機制御部１０２が追加されることとなるが、待機制御部１０２は小さな電子部品で構成されるため、制御ユニット１００のサイズはほとんど増加することがない。
【００６７】
図７（ａ）は、待機制御部１０２の処理フローを示す図であり、図７（ｂ）は、主制御部１０１の処理フローを示す図である。
【００６８】
プロジェクタが商用電源に接続されると、待機電源部４５０から電力が供給され、待機制御部１０２が起動する。こうして、プロジェクタは待機状態となる。
【００６９】
このとき、待機制御部１０２からはＯＮ信号が出力されておらず、リレー４４０はＯＦＦしているので、主電源ユニット２００へは電力が供給されない。よって、待機状態においては、待機電源部４５０から待機制御部１０２へ電力供給が行われるだけとなるので、消費電力は非常に小さなものとなる。
【００７０】
待機制御部１０２は、操作部１４等のキー操作の監視を開始し（Ｓ１０１）、メインスイッチがＯＮされたか否かを判定する（Ｓ１０２）。
【００７１】
ユーザは、プロジェクタの運転を開始させる場合、メインスイッチをＯＮする。こうして、メインスイッチがＯＮされると（Ｓ１０２：ＹＥＳ）、待機制御部１０２は、待機電源ユニット４００へＯＮ信号を出力し、リレー４４０をＯＮする（Ｓ１０３）。
【００７２】
リレー４４０がＯＮすると、主電源ユニット２００へ電力が供給される。これにより、主電源ユニット２００から主制御部１０１へ電力が供給されて、主制御部１０１が起動する。
【００７３】
主制御部１０１は、まず、プロジェクタを運転状態とするためのセットアップ処理を行う（Ｓ２０１）。そして、セットアップ処理が完了すると、待機制御部１０２へ起動が完了したことを知らせる起動完了信号を送る（Ｓ２０２）。
【００７４】
待機制御部１０２は、主制御部１０１から起動完了信号を受けると（Ｓ１０４：ＹＥＳ）、主制御部１０１へ応答信号を送る（Ｓ１０５）。そして、キー操作の監視、すなわち、待機状態における制御を終了する（Ｓ１０６）。
【００７５】
主制御部１０１は、待機制御部１０２から応答信号を受けると（Ｓ２０３:ＹＥＳ）、ランプ２１や液晶パネル２３、２４、２５等を駆動制御して運転を行う（Ｓ２０４）。こうして、入力された映像信号に基づく映像がスクリーンに投写される。
【００７６】
ユーザは、プロジェクタの運転を終了させる場合、メインスイッチをＯＦＦする。メインスイッチがＯＦＦされると（Ｓ２０５：ＹＥＳ）、主制御部１０２は、プロジェクタを待機状態に移行させるべく、所定のシャットダウン処理を行う（Ｓ２０６）。そして、シャットダウン処理が完了すると、待機制御部１０２へ運転が終了したことを知らせる運転終了信号を送る（Ｓ２０７）。そして、待機制御部１０２から応答信号を受けると（Ｓ２０８）、処理を終了する。
【００７７】
待機制御部１０２は、主制御部１０１から運転終了信号を受けると（Ｓ１０７：ＹＥＳ）、主制御部１０１へ応答信号を送る（Ｓ１０８）。その後、待機電源ユニット４００へのＯＮ信号の出力を停止し、待機電源ユニット４００内のリレー４４０をＯＦＦする（Ｓ１０９）。これにより、主電源ユニット２００への電力供給が停止される。
【００７８】
こうして、プロジェクタが再び待機状態になると、待機制御部１０２は、再びキー操作の監視を開始する（Ｓ１０１）。
【００７９】
このように、本実施の形態では、プロジェクタが待機状態にあるときには、主電源ユニット２００への電力供給を停止し、待機電源ユニット４００から待機制御部１０２を動作させる最小限の電力供給を行うようにしているので、待機電力を低減することができる。
【００８０】
しかも、別基板に配された待機電源ユニット４００を、キャビネット１０内の空きスペースに配することができるので、主電源ユニット２００やキャビネット１０のサイズ、部品配置を再設計する必要がない。したがって、待機電力を低減する機能を実現するための費用、時間、労力を抑えることができる。
【００８１】
また、本実施の形態では、リレー４４０より上流側の前記電源ラインＬ１、Ｌ２から電源ラインＬ３、Ｌ４を分岐して待機電源部４５０へ電力供給を行うようにするとともに、この分岐点Ｐ１、Ｐ２よりも上流側にノイズフィルタ５１０を配するようしている。よって、１つのノイズフィルタ５１０で、主電源ユニット２００および待機電源部４５０の双方のノイズの低減を図ることができる。
【００８２】
さらに、分岐点Ｐ１、Ｐ２より上流側に、サーモスタット６００を配するようにしているので、ランプ２１が異常過熱した場合に、主電源ユニット２００と待機電源部４５０の双方への電力を遮断することができる。
【００８３】
さらに、分岐点Ｐ１、Ｐ２を、前記基板４１０上に形成された導電パターンによって構成しているので、待機電源ユニット４００に供給された電力を容易に待機電源部４５０へ分配できる。よって、ノイズフィルタユニット５００から電源ラインＬ１、Ｌ２と待機電源部４５０のそれぞれに電源ケーブルを接続する必要がなく、ケーブルの本数を削減できる。
【００８４】
また、本実施の形態では、待機電源ユニット４００に第１コネクタ４２０および第２コネクタ４３０が設けられており、これらコネクタ４２０、４３０に電源ケーブル７００、８００が接続されるようにしている。即ち、待機電源ユニット４００には、ケーブルが直接取り付けられていないので、待機電源ユニット４００をキャビネット１０内に設置する際に電源ケーブルが邪魔になるようなことがない。
【００８５】
＜変更例１＞
図８は、変更例１に係るプロジェクタの構成を示すブロック図である。
【００８６】
本変更例では、上記実施の形態の主電源ユニット２００に相当する主電源部９１０とノイズフィルタユニットに相当するノイズフィルタ部９２０とが、１つの基板上に配されることにより、主電源ユニット９００が構成されている。その他の構成は、上記実施の形態と同様である。
【００８７】
図９（ａ）は、変更例１における主電源部９１０、待機電源ユニット４００およびノイズフィルタ部９２０の接続構造を示す図である。図９（ｂ）は、従来の主電源ユニット９００における主電源部９１０とノイズフィルタ部９２０との接続構造を示す図である。
【００８８】
図９（ａ）に示すように、本変更例では、ノイズフィルタ部９２０のコネクタ９２１と待機電源ユニット４００の第１コネクタ４２０とが電源ケーブル７００により接続されている。また、主電源部９１０のコネクタ９１１と待機電源ユニット４００の第２コネクタ４３０とが電源ケーブル８００により接続されている。
【００８９】
一方、図９（ｂ）に示すように、従来は、サーモスタット６００をランプ２１近傍の所定位置に配するため、サーモスタット６００を配したＬＩＶＥ側の電源ケーブル７５０のみがノイズフィルタ部９２０のコネクタ９２２と主電源部９１０のコネクタ９１２に接続されており、ＮＥＵＴＲＡＬ側の電源ラインについては、基板上に導電パターンにより形成されていた。
【００９０】
したがって、本変更例のプロジェクタでは、待機電源ユニット４００を配するために、コネクタの部分の変更が必要となる。しかし、この場合であっても、主電源ユニット９００の設計変更は最小限に抑えられる。また、キャビネット１０のサイズやキャビネット１０内部の部品配置については、再設計する必要がない。
【００９１】
なお、サーモスタット６００が配されない構成とされることもあり得るが、この場合、従来は、主電源部９１０とノイズフィルタ部９２０との間の双方の電源ラインが、導電パターンで形成されることとなる。よって、この場合も、本実施の形態の構成を用いると、待機電源ユニット４００を配するために、コネクタの部分の変更が必要となる。
【００９２】
この他、本発明の実施の形態は、特許請求の範囲に示された技術的思想の範囲内において、適宜、種々の変更が可能である。
【００９３】
また、本発明の第２の態様に係る電子機器は、プロジェクタに限定されるものではなく、たとえば、テレビやＤＶＤプレーヤーであってもよい。
【符号の説明】
【００９４】
２１  ランプ（光源）
２３、２４、２５  液晶パネル（光変調部）
１０１  主制御部
１０２  待機制御部
２００  主電源ユニット
４００  待機電源ユニット
４１０  基板
４４０  リレー（スイッチ部）
４５０  待機電源部（電源部）
４６０  電流ヒューズ
５００  ノイズフィルタユニット
５１０  ノイズフィルタ
６００  サーモスタット（遮断装置）
【図１】
2011085763.tif 000003
【図２】
2011085763.tif 000004
【図３】
2011085763.tif 000005
【図４】
2011085763.tif 000006
【図５】
2011085763.tif 000007
【図６】
2011085763.tif 000008
【図７】
2011085763.tif 000009
【図８】
2011085763.tif 000010
【図９】
2011085763.tif 000011